(57)【特許請求の範囲】
【請求項１】
勾配を付したスラブに固定する長寸のベースプレートと，該ベースプレートに起立した一対の起立ボルトと，該一対の起立ボルトに上下方向移動自在に架設したＬ字チャンネル材によるガイドレールと，水平片と垂直片の先端に折り返し片を備え該折り返し片を上記ガイドレールに引掛係合することによって該ガイドレールを抱え込み状に被嵌してガイドレール長手方向に摺動可能とするとともに上記垂直片に設置した固定金具によってガイドレール長手方向任意位置で固定可能とした各下端のＬ字状のスライダーによってそれぞれガイドレールと直交方向に開口して並列設置した開閉自在の横枝管支持用複数のバンドとを備え，横枝管接続のバルブピッチを規格化した排水ヘッダーからの距離に応じてスラブ勾配によって異なる横枝管の高さ変化に対してガイドレールのベースプレート上下方向移動で対応して各横枝管を支持するとともにエルボを使用した屈曲接続によって生じる横枝管の間隔変化に対してバンドのガイドレール長手方向移動によって対応して同じく横枝管を支持してなることを特徴とする排水ヘッダー連結横枝管の並列支持金具。
【請求項２】
上記支持プレートの起立ボルトへの上下方向移動自在の架設を，一対の起立ボルトにそれぞれ螺装した上下を対とするナットにより支持プレートを挟持するナット締着によって行なってなることを特徴とする請求項１に記載の排水ヘッダー連結横枝管の並列支持金具。
【請求項３】
上記支持プレート上のバンド数をそれぞれ２及び３としたガイドレールを備え該バンド数の組合せ使用によって横枝管任意本数の支持を可能としてなることを特徴とする請求項１又は２に記載の排水ヘッダー連結横枝管の並列支持金具。
【発明の詳細な説明】
【技術分野】
【０００１】  本発明はマンション等の建造物における配管を支持する支持金具に関し，特に排水ヘッダーに連結した排水用の横枝管を躯体に固定支持するように用いる排水ヘッダー連結横枝管の並列支持金具に関する。
【背景技術】
【０００２】  例えばマンションやオフィスビルの各部屋からの横枝管（排水管）を，排水ヘッダーを介して排水本管に連結するために，各部屋から所定勾配を付してスラブに支持した横枝管を排水ヘッダー位置に集合して該排水ヘッダーに連結することが行われ，このとき下記特許文献１に記載の排水ヘッダーが標準規格として使用されている。【０００３】  本発明者は，この排水ヘッダーに連結した横枝管を並列支持するに適した横枝管並列支持金具を下記特許文献２によって提案済みであり，これによれば，該支持金具は，長寸のベースプレートと，該ベースプレートに起立した一対の起立ボルトと，該一対の起立ボルトに架設した支持プレートと，該支持プレートにこれと直交方向に開口するように固定して並列設置したそれぞれ開閉自在の横枝管支持用複数のバンドとを備え，上記支持プレートの起立ボルトへの架設を該起立ボルに対して上下方向移動自在としたものとされている。【０００４】
【特許文献１】特開平１０−１６００４８号
【特許文献２】特願２００３−２８６５６０号（特開２００５−５４９０１号公報）
【発明の開示】
【発明が解決しようとする課題】
【０００５】  上記のように排水ヘッダーが規格化されており，その規格のバルブピッチは１２ｃｍとされる一方，横枝管の直径は一般に６ｃｍであることから，排水ヘッダー近傍の集合位置で横枝管は５，６ｃｍ程度に近接した状態に並列するところ，上記本発明者による支持金具を使用すれば，このように近接した状態に並列する横枝管を，各開放した複数のバンドにそれぞれ落し込み状に載置し，然る後に各バンドを閉鎖するようにすることによって，これら横枝管を同一高さに簡単な作業で同時に安定支持することが可能となり，横枝管が近接した状態に並列していることによって，例えばレベルバンドを使用して各横枝管を個別に支持することに伴う煩雑な作業を解消できる。また横枝管は，一般にスラブに勾配を付することによって，１／１００程度の勾配で配管されるから，排水ヘッダーからの距離が離れるに従って横枝管を支持する位置が高くなるように排水ヘッダーからの距離に応じて支持高さが異なるが，支持プレートの起立ボルトへの架設を該起立ボルに対して上下方向移動自在としたことによって，支持プレートを上下方向に移動することによって横枝管の高さに合せた支持を確実に行うことが可能となる。【０００６】  しかし乍ら，この支持金具は，排水ヘッダーにこれに直交するように連結してそのまま排水ヘッダーから離隔するように並列した横枝管を支持するには適するが，例えば排水ヘッダーに連結した横枝管をエルボを使用して屈曲接続するように配管したとき，該屈曲後に並列している横枝管を支持しようとしてもその支持を行なうことができない場合を生じる。即ち排水ヘッダーに直交するように配管した屈曲前の横枝管は上記排水ヘッダーのバルブピッチによって定められた間隔で近接して並列するが，エルボを介して屈曲接続した屈曲後の横枝管は排水ヘッダーのバルブピッチの制約を受けずに各横枝管毎に定めた位置にエルボを介設してなし得るところ，この場合上記バルブピッチが小さすぎることから，横枝管の間隔を幾分大きめに設定するように工事がなされる可能性があり，このような工事がなされると，横枝管の間隔がその屈曲の前後で異なることになり，従ってバンドを固定的に並列した上記支持金具ではこの屈曲前後の横枝管間隔の変化に対応できないからである。【０００７】  本発明はかかる事情に鑑みてなされたもので，その解決課題とするところは，排水ヘッダーからの距離に応じて高さが異なって並列し，また屈曲接続することにより間隔が異なって並列する横枝管を，その高さ及び間隔の如何を問わずに簡単な作業によって安定支持し得るようにした排水ヘッダー連結横枝管の並列支持金具を提供するにある。
【課題を解決するための手段】
【０００８】  上記課題に添って本発明は，勾配を付したスラブに固定する長寸のベースプレートに起立した一対の起立ボルトにガイドレールを上下方向移動自在に配置するとともに該ガイドレールに横枝管支持用複数のバンドをガイドレール長手方向移動自在に配置して，ガイドレールの上下方向移動によってスラブ勾配によって異なる横枝管の高さに対応し，バンドのガイドレール長手方向移動によって屈曲接続した横枝管の間隔に対応して，横枝管接続のバルブピッチを規格化した排水ヘッダーからの距離に応じてスラブ勾配により高さが異なって並列し，また屈曲接続することにより間隔が異なって並列する横枝管を，その高さ及び間隔の如何を問わずに簡単な作業によって一体的同時に効率よく安定支持し得るものとするようにしたものであって，即ち請求項１に記載の発明を，勾配を付したスラブに固定する長寸のベースプレートと，該ベースプレートに起立した一対の起立ボルトと，該一対の起立ボルトに上下方向移動自在に架設したＬ字チャンネル材によるガイドレールと，水平片と垂直片の先端に折り返し片を備え該折り返し片を上記ガイドレールに引掛係合することによって該ガイドレールを抱え込み状に被嵌してガイドレール長手方向に摺動可能とするとともに上記垂直片に設置した固定金具によってガイドレール長手方向任意位置で固定可能とした各下端のＬ字状のスライダーによってそれぞれガイドレールと直交方向に開口して並列設置した開閉自在の横枝管支持用複数のバンドとを備え，横枝管接続のバルブピッチを規格化した排水ヘッダーからの距離に応じてスラブ勾配によって異なる横枝管の高さ変化に対してガイドレールのベースプレート上下方向移動で対応して各横枝管を支持するとともにエルボを使用した屈曲接続によって生じる横枝管の間隔変化に対してバンドのガイドレール長手方向移動によって対応して同じく横枝管を支持してなることを特徴とする排水ヘッダー連結横枝管の並列支持金具としたものである。【０００９】  請求項２に記載の発明は，上記に加えて，上記起立ボルトに対する支持プレートの架設を簡易にして安定した上下方向の移動を確実になし得るものとするように，これを，上記支持プレートの起立ボルトへの上下方向移動自在の架設を，一対の起立ボルトにそれぞれ螺装した上下を対とするナットにより支持プレートを挟持するナット締着によって行なってなることを特徴とする請求項１に記載の排水ヘッダー連結横枝管の並列支持金具としたものである。【００１０】  請求項３に記載の発明は，同じく上記に加えて，ガイドレールを，並列２本の横枝管と並列３本の横枝管をそれぞれ同時に支持し得る２種として，その組合せによって横枝管任意本数の支持を可能として現場の横枝管本数に常に対応可能とするように，これを，上記支持プレート上のバンド数をそれぞれ２及び３としたガイドレールを備え該バンド数の組合せ使用によって横枝管任意本数の支持を可能としてなることを特徴とする請求項１又は２に記載の排水ヘッダー連結横枝管の並列支持金具としたものである。【００１１】  本発明はこれらをそれぞれ発明の要旨として上記課題解決の手段としたものである。
【発明の効果】
【００１２】  本発明は以上のとおりに構成したから，請求項１に記載の発明は，勾配を付したスラブに固定する長寸のベースプレートに起立した一対の起立ボルトにガイドレールを上下方向移動自在に配置するとともに該ガイドレールに横枝管支持用複数のバンドをガイドレール長手方向移動自在に配置して，ガイドレールの上下方向移動によってスラブ勾配によって異なる横枝管の高さに対応し，バンドのガイドレール長手方向移動によって屈曲接続した横枝管の間隔に対応して，横枝管接続のバルブピッチを規格化した排水ヘッダーからの距離に応じてスラブ勾配により高さが異なって並列し，また屈曲接続することにより間隔が異なって並列する横枝管を，その高さ及び間隔の如何を問わずに簡単な作業によって一体的同時に効率よく安定支持し得るようにした排水ヘッダー連結横枝管の並列支持金具を提供することができる。【００１３】  請求項２に記載の発明は，上記に加えて，上記起立ボルトに対する支持プレートの架設を簡易にして安定した上下方向の移動を確実になし得るものとすることができる。【００１４】  請求項３に記載の発明は，同じく上記に加えて，ガイドレールを，並列２本の横枝管と並列３本の横枝管をそれぞれ同時に支持し得る２種として，その組合せによって横枝管任意本数の支持を可能として現場の横枝管本数に常に対応可能とすることができる。
【発明を実施するための最良の形態】
【００１５】  以下図面の例に従って本発明を更に具体的に説明すれば，図１乃至図５においてＡは，排水ヘッダー２４に連結した横枝管２０を並列支持する，例えば鋼製とした支持金具であり，該支持金具Ａは，勾配を付したスラブに固定する長寸のベースプレート１と，該ベースプレート１に起立した一対の起立ボルト３と，該一対の起立ボルト３に上下方向移動自在に架設したＬ字チャンネル材によるガイドレール６と，水平片と垂直片の先端に折り返し片を備え該折り返し片を上記ガイドレール６に引掛係合することによって該ガイドレール６を抱え込み状に被嵌してガイドレール６長手方向に摺動可能とするとともに上記垂直片に設置した固定金具１５によってガイドレール６長手方向任意位置で固定可能とした各下端のＬ字状のスライダー１４によってそれぞれガイドレール６と直交方向に開口して並列設置した開閉自在の横枝管２０支持用複数のバンド８とを備え，横枝管２０接続のバルブピッチを規格化した排水ヘッダー  からの距離に応じてスラブ勾配によって異なる横枝管２０の高さ変化に対してガイドレール６のベースプレート１上下方向移動で対応して各横枝管２０を支持するとともにエルボ  を使用した屈曲接続によって生じる横枝管２０の間隔変化に対してバンド８のガイドレール６長手方向移動によって対応して同じく横枝管２０を支持したものとしてあり，本例にあって該支持金具Ａは，図５に示すように，その支持プレート６上のバンド８数をそれぞれ２及び３とした２種とし，該バンド８数の組合せ使用によって横枝管２０任意本数の支持を可能としたものとしてある。【００１６】  ベースプレート１は，そのバンド８の数２のとき長さを３５ｃｍ程度，３のとき５０ｃｍ程度，幅を数ｃｍ程度とした長寸の厚肉鋼板製のものとし，その長手方向両端及び中央にスラブ固定のためにアンカー乃至コンクリート釘等の固定金具を挿通する透孔２を設けたものとする一方，その長手方向両端部に上記一対の起立ボルト３を起立して備えたものとしてあり，このとき該起立ボルト３は，上記透孔２近傍にナット４を溶着し，該溶着したナット４に下端を螺装するとともにこれにロックナット５を締着することによってそのベースプレート１への起立固定を行なったものとしてあり，本例にあって該起立ボルト３は１５ｃｍ程度の高さのものとしてある。【００１７】  ガイドレール６は，上記ベースプレート１の透孔２にアンカー乃至コンクリート釘等の固定金具を挿通するに邪魔とならないようにベースプレート１より幾分短尺にして，バンド８の数２のとき３０ｃｍ程度，３のとき４５ｃｍ程度，幅を数ｃｍ程度とした，同じく長寸の厚肉鋼板製とし，このとき本例のガイドレール６は横枝管２０の支持を行なうについて変形や撓みを生じることのないように断面形状によってもその剛性を確保し得るようにＬ字チャンネル材によるものとしてある。該ガイドレール６は，これを起立ボルト３に対して上下方向移動自在に架設したものとしてあり，本例にあって該支持プレート６の起立ボルト３への上下方向移動自在の架設は，これを，一対の起立ボルト３にそれぞれ螺装した上下を対とするナット７によりガイドレール６を挟持するナット締着によって行なったものとしてある。即ちガイドレー��６はその長手方向両端部に挿通孔を備え，該挿通孔に起立ボルト３を挿通し，該起立ボルト３に螺装したガイドレール６上下のナット７によってガイドレール６を挟持してその締着固定を行なう一方，ナット７の締着位置を上下に変えることによってガイドレール６の高さを可変とし得るようにしてある。【００１８】  バンド８は，例えば半円一対のバンド片９と，該バンド片９をその一端で開閉自在に連結したヒンジ１０と，バンド片９の各他端に水平に突出して面内にボルト孔１２を透設し且つその下面にナット１３を溶着した締着片１１とを備え，厚肉鋼板によって形成した配管支持用のものとし，ガイドレール６上に横方向に並列するように２又は３個を左右方向移動自在に並列設置したものとしてあり，本例にあってバンド８のガイドレール６への左右方向移動自在の並列設置は，これを，該ガイドレール６に対して，バンド８下端に設置したスライダー１４をスライド自在に係合支持することによって行なってあり，本例のガイドレール６は上記Ｌ字チャンネル材によって形成し，バンド８のスライダー１４を該Ｌ字チャンネル材の支持プレート６に係合支持してそのスライド自在の並列設置を行ったものとしてあり，このとき該スライダー１４は，これを固定金具１５によってガイドレール６の長手方向任意位置で固定自在としたものとしてある。即ちバンド８はその半円片側下方のバンド片９の幅方向中央位置にスライダー１４を溶着して該バンド片９の下方に突出するように設置してあり，該スライダー１４は上記ガイドレール６に合せてＬ字状のものとするとともにその両端，即ちＬ字状の水平片の先端と垂直片の下端に折り返し片を配置し，該両端の折り返し片によってガイドレール６に引掛係合することによって該ガイドレール６を抱え込み状に被嵌し，その長手方向に摺動可能とすることによって各バンド８をそれぞれスライド自在に並列設置したものとしてあり，またこのときスライダー１４はその該Ｌ字状の垂直片に設置した螺孔に蝶ナットを螺装して備えてあり，該蝶ナットを固定金具１５とし，これによりガイドレール６，特にその垂直面を押圧することによって該スライダー１４をガイドレール６における長手方向任意位置でスライダー１４，即ちバンド８を固定し得るようにしてある。【００１９】  本例の支持金具Ａはこのように構成したから，横枝管２０の高さに合せて支持プレート６の高さを上下方向に移動調整し，横枝管２０の間隔に合せてバンド８の位置を左右方向に移動調整することによって，排水ヘッダー２４からの距離に応じて高さが異なって並列し，また屈曲接続することにより間隔が異なって並列する横枝管２０を，その高さ及び間隔の如何を問わずに簡単な作業によって一体的同時に効率よく安定支持することが可能となる。即ち該支持金具Ａによって横枝管２０を並列支持するには，例えば，スラブの所定位置にベースプレート１をアンカー乃至コンクリート釘等の固定金具によって固定し，支持プレート６を上下方向に移動してその高さ位置を横枝管２０の高さに合せるようにし，またスライダー１４をスライドしてベースプレート１上のバンド８の位置とその間隔を横枝管２０の位置と間隔に合せて，バンド８を開放して排水ヘッダー２４に連結した各横枝管���０を該バンド８に載置するように仮置きし，更に必要に応じてガイドレール６の上下方向への移動及び該ガイドレール６上におけるバンド８の左右方向への移動による微調整を施すようにすればよい。【００２０】  このとき上記排水ヘッダー２４に連結する横枝管２０には，例えばスラブに勾配を付することによって，１／１００程度の勾配で配管されるところ，図４及び図５に示すように，排水ヘッダー２４に直交するように連結してそのまま排水ヘッダー２４から離隔するように並列した横枝管２０を支持するについては，その排水ヘッダー２４からの距離に応じて異なる高さ変化に対して，ガイドレール６を上下方向に移動することによって対応し得るとともに，排水ヘッダー２４に連結した横枝管２０をエルボ２１によって屈曲接続するように並列したときの間隔変化に対して，スライダー１４をスライドしてバンド８を左右方向に移動することによって対応し得るようになる。またスラブには上記勾配が付されるが，排水ヘッダー２４に直交する横枝管２０の並列支持は数ｍに及ぶことがあり，そのためにガイドレール６の上下方向移動による高さ調整を要するが，エルボ２１を介した屈曲接続の横枝管２０の並列支持にあっては，その合計の幅は支持金具Ａの長さ程度（ベースプレートの長さでもバンド数２本のとき３５ｃｍ程度，３本のとき５０ｃｍ程度）に納まり，この合計幅間で勾配の変化は比較的小さく，バンド８を支持プレート６上に並列してバンド８間でこの勾配変化に対する調整がないものとした本例の支持金具Ａを用いても，その横枝管２０の支持に特段の支障ないものとすることができる。【００２１】  また本例にあっては支持金具Ａを，そのバンド８の数を２及び３の２種としたから，単独使用によって横枝管２０の数２本又は３本に対応し，バンド数２本の支持金具Ａを２つ直列に配置して横枝管２０の数４本に対応し，バンド数２本と３本の支持金具Ａを同じく直列に配置して横枝管２０の数５本に対応する如くに，該バンド数２と３の２種の支持金具Ａの組合せ使用によって横枝管２０本数を任意とする自由な支持を可能とすることができる。【００２２】  なお図中２３は排水集合管，２５は排水ヘッダー２４のサポートバンド，２６はその排水ヘッダー２４支持用の円形バンド，２７は排水ヘッダー２４の掃除口，２８はその開閉蓋，２９はジョイントフランジをそれぞれ示す。【００２３】  図示した例は以上のとおりとしたが，本発明の実施に当って，排水ヘッダー，横枝管，支持金具，そのベースプレート，起立ボルト，ガイドレール，バンド，スライダー，その固定用の固定金具等の各具体的形状，構造，材質，これらの関係，これらに対する付加等は，上記発明の要旨に反しない限り様々の形態のものとすることができる。
【図面の簡単な説明】
【００２４】
【図１】支持金具の正面図である。
【図２】図１の支持金具の縦断面図である。
【図３】図１の支持金具と横枝管の関係を示す斜視図である。
【図４】図１の支持金具と横枝管の関係を示す平面図である。
【図５】２種の支持金具を同時使用したときの横枝管との関係を示す平面図である。
【図６】他の例に係る支持金具と横枝管の関係を示す斜視図である。
【図７】図６の支持金具における支持プレートの平面図である。
【図８】図６の支持金具の縦断面図である。
【図９】図６の支持金具におけるＵボルトの正面図である。
【符号の説明】
【００２５】          Ａ  支持金具          １  ベースプレート          ３  起立ボルト          ６  ガイドレール          ８  バンド          １４  スライダー          ２０  横枝管          ２４  排水ヘッダー
【図１】
0003878941.tif 000002
【図２】
0003878941.tif 000003
【図３】
0003878941.tif 000004
【図４】
0003878941.tif 000005
【図５】
0003878941.tif 000006
【図６】
0003878941.tif 000007
【図７】
0003878941.tif 000008
【図８】
0003878941.tif 000009
【図９】
0003878941.tif 000010